(57)【要約】【課題】建物の居住環境の向上のための湿度調整や結露防止を機械設備を用いることなく実現するため、吸放湿能力が高く持続時間が長い吸放湿性能を有する壁構造及び壁材を提供する。【解決手段】一方の側が居室であり、もう一方の側が非居室である境界部に設けられる間仕切り壁であって、少なくとも非居室の面に吸放湿材からなる仕上げ材２が貼設され、その仕上げ材２の裏面側に蓄熱材３が設けられた壁構造１１によって解決される。【選択図】    図２
2009197557.tif 000002
【特許請求の範囲】
【請求項１】
吸放湿材からなる仕上げ材を用いた建物の壁構造であって、該仕上げ材の裏面に蓄熱材が設けられたことを特徴とする建物の壁構造。
【請求項２】
壁が間仕切り壁であって、少なくとも一方の面に吸放湿材からなる仕上げ材を用いた請求項１に記載の建物の壁構造。
【請求項３】
間仕切り壁で仕切られた一方の側が居室であり、もう一方の側が非居室であり、非居室の側に吸放湿材からなる仕上げ材が設けられている請求項２に記載の建物の壁構造。
【請求項４】
吸放湿材からなる仕上げ材と該吸放湿材の裏面に設けられた蓄熱材とからなる壁材。
【請求項５】
間仕切り壁用の壁材であって、少なくとも片面が吸放湿材からなる仕上げ材からなり、該仕上げ材の裏面に蓄熱材が設けられた壁材。
【発明の詳細な説明】
【技術分野】
【０００１】
本発明は、建物の室内の調湿や結露防止を実現する壁構造及び壁材に関する。
【背景技術】
【０００２】
建物の居住環境の向上のための湿度調整や結露防止を機械設備を用いることなく実現することを目的として吸放湿建材が建物の内装材として使用されている。
【０００３】
【特許文献１】特開２００５−３２４４３７号公報
【発明の開示】
【発明が解決しようとする課題】
【０００４】
しかし、吸放湿材は建物の壁面に用いられることが多いが、効果のバラツキや持続性など意図した効果が得られないことが多い。そこで、十分な吸放湿性能を確保するために施工面積を大きくする必要があった。また、住宅の居室の壁面に吸放湿材を使用した場合、壁面に沿って設置される家具や設備機器などの影響で実質的な貼付面積が制限され、十分な効果が得られないことが多い。
【０００５】
特に施工できる面積や材料の厚みなどの制約から、必要な吸放湿量や持続時間が得られないといった問題がある。
【０００６】
また、吸放湿材の吸放湿性能を保持するため吸放湿材中に蓄熱材を保有した技術も提案されているが、十分な効果が得られているわけではない。
【０００７】
本発明は、以上のような問題点に鑑み、吸放湿能力が高く持続時間が長い吸放湿性能を有する壁構造及び壁材を提供することを課題とする。
【課題を解決するための手段】
【０００８】
上記の課題は、吸放湿材からなる仕上げ材を用いた建物の壁構造であって、該仕上げ材の裏面に蓄熱材が設けられたことを特徴とする建物の壁構造により解決される（第１発明）。
【０００９】
吸放湿材からなる仕上げ材の裏面に蓄熱材が設けられているため、仕上げ材の表面である室内の温度が変化した場合、仕上げ材の裏面の温度は蓄熱材の熱容量があるため仕上げ材の表面温度に追従して変化せず、仕上げ面の表裏で温度差が生じる。この温度差により吸放湿材の吸放湿性能の向上を達成することができる。また吸放湿材の吸放湿性能を向上させることで吸放湿材の施工面積を減らすことができ、プランの自由度及びコストの低減を図ることができる。
【００１０】
例えば居室を暖房した場合、吸放湿材からなる仕上げ材の裏面に蓄熱材がない壁構造であれば、室内の温度が上がるのにつれて仕上げ材の表面も裏面も温度が上がり、仕上げ面の表面と裏面の温度は同等か若干裏面の温度が低い程度であり、仕上げ材の表面と裏面とではほとんど温度差が生じず暖房によって発生した居室内の湿気を十分に吸収することができない。
【００１１】
一方、吸放湿材からなる仕上げ材の裏面に蓄熱材が設けられた壁構造では、室内の温度が上がるのにつれて仕上げ材の表面温度は上がるが、仕上げ材の裏面の温度は仕上げ材の裏面に設けられた蓄熱材の熱容量のため室内の温度が上がってもわずかな温度しか上がらない。よって仕上げ材の表面と裏面とでは温度差が生じ、仕上げ材の裏面の温度は表面の温度より低くなる。この温度差が吸放湿材の吸放湿性能に影響し、室内の暖房によって発生した居室内の湿気を吸収することができる。
【００１２】
さらに熱容量の大きい蓄熱材の温度が変わるまでに時間がかかることを利用して室内の湿度の急激な変化を緩和させる効果を得ることができる。
【００１３】
なお、吸放湿材の吸湿と放湿のメカニズムは吸放湿材が面する室内の温度や湿度だけでなく、吸放湿材自体の表面と裏面の温度差にも依存し、吸放湿材の表面の温度が裏面の温度より高いと吸湿、表面の温度が裏面の温度よりも低いと放湿する。
【００１４】
第１発明において、壁が間仕切り壁であって、少なくとも一方の面に吸放湿材からなる仕上げ材が用いられるとよい（第２発明）。
【００１５】
間仕切り壁に本発明を適用すると、室内の温度変化に対して室内の湿度を効果的に調整できるとともに、間仕切り壁内に設けられる蓄熱材がその質量としての効果から遮音性能の向上も図ることができる。
【００１６】
第２発明において、間仕切り壁で仕切られた一方の側が居室であり、もう一方の側が非居室であり、非居室の側に吸放湿材からなる仕上げ材が設けられているとよい（第３発明）。
【００１７】
間仕切り壁で仕切られた一方の側が居室であり、もう一方の側が非居室であり、非居室の側に吸放湿材からなる仕上げ材が設けられている態様で本壁構造が設置されると、居室内が暖房で暖められる場合、ドアなどの開口部や隙間等を通じて非居室へも暖かい空気や湿気が回り込む。とくに温度の低い非居室に湿気が回り込むと、湿気が結露となって発生することとなるが、間仕切り壁の非居室の側に吸放湿材からなる仕上げ材が設けられておりその裏面に蓄熱材が設置されていることで、吸放湿材の表面の温度と裏面の温度差を利用して吸放湿材の吸湿効果を高め、非居室部の湿気を吸収することができる。
【００１８】
なお、ここで非居室とは建物における廊下や台所、玄関など部屋の用途としての非居室だけを意味するのではなく、居室であってもその使用状況により人が滞在していない状態にある居室も含む意味で使用している。
【００１９】
また本発明の課題は、吸放湿材からなる仕上げ材と該吸放湿材の裏面に設けられた蓄熱材とからなる壁材（第４発明）、間仕切り壁用の壁材であって、少なくとも片面が吸放湿材からなる仕上げ材からなり、該仕上げ材の裏面に蓄熱材が設けられた壁材（第５発明）によっても解決される。
【発明の効果】
【００２０】
本発明は以上のとおりであるから、吸放湿能力が高く持続時間が長い吸放湿性能を有する壁構造及び壁材を提供することができる。
【発明を実施するための最良の形態】
【００２１】
次に、本発明の実施最良形態を図面に基づいて説明する。
【００２２】
図１（イ）に示す本発明の第１実施形態である壁構造１において、２は仕上げ材としての吸放湿材、３は蓄熱材である。蓄熱材３の吸放湿材２が貼設されている面と反対の面には下地など壁構造のおいて任意の構成がなされている。なお、図中Ａ１，Ａ２は以下の説明において温度を測定する箇所である。
【００２３】
居室内を暖めると居室内の温度が上がるとともに暖房器具や調理器具、人などから発生する水蒸気により居室内の湿度も上がる。居室内の温度が上がるにつれて、壁体の表面すなわち吸放湿材２の表面部Ａ１の温度は上がるのに対し、壁体の内側、吸放湿材２と蓄熱材３の境界部すなわち吸放湿材２の裏面部Ａ２の温度は、壁体が吸放湿材からなる仕上げ材２の裏面に蓄熱材３が設けられており蓄熱材３の熱容量が大きいため、居室内の温度に追従して上がらない。そのため仕上げ材２の表面部Ａ１と裏面部Ａ２とで温度差が生じ、表面部Ａ１が裏面部Ａ２より高くなる。
【００２４】
この仕上げ材２の表面部Ａ１と裏面部Ａ２との温度差の大きさが吸放湿材からなる仕上げ材２の吸放湿性能に影響を与え、仕上げ材２は居室内の湿気を効果的に吸収することができる。
【００２５】
一方、暖房を切ると居室内の温度が下がる。居室内の温度が下がるにつれて、壁体の表面すなわち吸放湿材３の表面部Ａ１の温度は下がるのに対し、壁体の内側、仕上げ材２と蓄熱材３の境界部すなわち吸放湿材２の裏面部Ａ２の温度は、壁体が吸放湿材からなる仕上げ材２の裏面側に蓄熱材３が設けられており蓄熱材３の熱容量が大きいため、居室内の温度に追従して下がらない。そのため仕上げ材２の表面部Ａ１と裏面部Ａ２とで温度差が生じ、裏面部Ａ２が表面部Ａ１より高くなる。
【００２６】
この仕上げ材２の表面部Ａ１と裏面部Ａ２との温度差の大きさが吸放湿材からなる仕上げ材２の吸放湿性能に影響を与え、仕上げ材２は居室内へ湿気を効果的に放出することができる。さらに熱容量の大きい蓄熱材の温度が変わるまでに時間がかかることを利用して室内の湿度の急激な変化を緩和させる効果を得ることができる。
【００２７】
図１（ロ）に示す壁構造１´は、図１（イ）で示した本発明の実施形態の効果を説明するために示した壁構造であり、吸放湿材からなる仕上げ材２の裏面に桟木４からなる下地材が設けられ蓄熱材など大きな熱容量を有する部材が設けられていない。
【００２８】
壁構造１´において先の実施例と同様に居室内の温度が上がるとともに暖房器具や料理器具、人などから発生する水蒸気により居室内の湿度も上がる。居室内の温度が上昇するにつれて、壁体の表面すなわち吸放湿材２の表面部Ｂ１の温度は上がるのに対し、壁体の内側、仕上げ材２と桟木４との境界部すなわち吸放湿材２の裏面部Ｂ２の温度は、壁体が吸放湿材からなる仕上げ材２の裏面側に蓄熱材が設けられておらず蓄熱材の影響がないため、居室内の温度に追従して上がる。そのため仕上げ材２の表面部Ｂ１と裏面部Ｂ２とで温度差がほとんど生じない。
【００２９】
この仕上げ材２の表面部Ｂ１と裏面部Ｂ２との温度差の小ささが吸放湿材からなる仕上げ材２の吸放湿性能に影響を与え、仕上げ材２の裏面に蓄熱材を設けた場合と比較して仕上げ材２は居室内の湿気を十分に吸収することができなくなる。
【００３０】
同様に、居室内の温度が下がる場合においても、この仕上げ材２の表面部Ｂ１と裏面部Ｂ２との温度差の小ささが吸放湿材からなる仕上げ材２の吸放湿性能に影響を与え、仕上げ材２の裏面に蓄熱材を設けた場合と比較して仕上げ材２は居室内へ湿気を十分に放出することができない。
【００３１】
図２（イ）に示す第２実施形態の壁構造１１は、本発明を居室と非居室である廊下の境に設けられる間仕切り壁に適用した場合であって、間仕切り壁の構成において非居室である廊下側に吸放湿材である仕上げ材が設けられている。また居室側の壁面の仕上げは吸放湿材でない一般の仕上げ材が用いられている。２は仕上げ材としての吸放湿材、３は蓄熱材、５は吸放湿材でない一般の仕上げ材である。なお、図中Ｃ１，Ｃ２、Ｃ３は以下の説明において温度を測定する箇所である。
【００３２】
居室内を暖めると居室内の温度が上昇するとともに暖房器具や調理器具、人などから発生する水蒸気により居室内の湿度も上昇する。また居室と廊下の出入り口となる開口はドアにより仕切られているが、人の移動などに伴うドアの開閉の際やドアとドア枠の隙間を通じて熱や湿気は移動する。特に暖かい湿気を含んだ空気が居室側から冷たい廊下側に流れ込んだ場合、湿気を含んだ暖かい空気が廊下側で冷やされて空気中の水分が結露となって生じることとなる。
【００３３】
居室内が暖められると居室内の温度が上がり、それに伴い廊下側の温度も上がる。しかし、壁体が吸放湿材からなる仕上げ材２の裏面側に蓄熱材３が設けられていると、廊下側の温度が上がるにつれて廊下側の壁体の表面すなわち吸放湿材２表面部の温度Ｃ１が上がっても、壁体の内側、吸放湿材２と蓄熱材３の境界部すなわち吸放湿材２の裏面部の温度Ｃ２はＣ１程上がらない。そのため仕上げ材２の表面部Ｃ１と裏面部Ｃ２とで温度差が生じ、表面部Ｃ１が裏面部Ｃ２より高くなる。
【００３４】
この仕上げ材２の表面と裏面との温度差の大きさが吸放湿材からなる仕上げ材２の吸放湿性能に影響を与え、仕上げ材２は居室内の湿気を効果的に吸収することができる。
【００３５】
図２（ロ）に示す壁構造１１´は図２（イ）で示した第２実施形態の効果を説明するために示した壁構造であり、吸放湿材からなる仕上げ材２の裏面に桟木４からなる下地材が設けられ蓄熱材など大きな熱容量を有する部材が設けられていない。
【００３６】
壁構造１１´において先の実施例と同様に居室内が暖められることにより居室内の温度が上がり、それに伴い廊下側の温度も上がる。しかし、壁体が吸放湿材からなる仕上げ材２の裏面に蓄熱材３が設けられていないため、居室内の温度が上がるにつれて廊下側の壁体表面の温度Ｄ１が上がると、吸放湿材からなる仕上げ材２の裏面の温度Ｄ２はＤ１と同様に上がる。そのため仕上げ材２の表面部Ｄ１と裏面部Ｄ２とで温度差がほとんど生じない。
【００３７】
この仕上げ材２の表面と裏面との温度差の小ささが吸放湿材からなる仕上げ材２の吸放湿性能に影響を与え、仕上げ材２の裏面に蓄熱材を設けた場合と比較して仕上げ材２は居室内の湿気を十分に吸収することができなくなる。
【００３８】
居室内が冷えた場合の吸放湿のメカニズムについても上と同様である。
【００３９】
以上に、本発明の実施形態を示したが、本発明はこれに限られるものではなく、発明思想を逸脱しない範囲で各種の変更が可能である。例えば、上記の実施形態では、仕上げ材としての吸放湿材の裏面全面に蓄熱材を設けた場合について示したが、蓄熱材の形態、壁内部に対する納まりは壁構造に応じて任意であればよく、図３に示すように、吸放湿材２の下地として設けられた桟木４と桟木４の間に蓄熱材３が設けられてもよい。
【００４０】
また、蓄熱材は熱容量が大きい材料であればその材質は特に制限はなく、様々な材料を選択することができる。図４に示すように例えば、吸放湿材２の裏面に設ける蓄熱材として石膏ボードを一枚もしくは複数枚重ね合わせることにより、熱容量の大きい蓄熱材３を構成してもよい。
【００４１】
また、図５に示すように、下地材としての桟木４間に蓄熱材３が設けられ、下地材の一方の側には仕上げ材としての吸放湿材２が設けられ、またもう一方の側には断熱材６を介して吸放湿材でない一般の仕上げ材５が設けられた構成としてもよい。この構成では、一般の仕上げ材５と蓄熱材３の間に断熱材６が介設されているため、一般の仕上げ材５が面する部屋の温度が上昇しても断熱材６の効果により、部屋の温度が蓄熱材３にはすぐには伝わらず、より吸放湿材２の表面側と裏面側とで温度差を生じることとなる。この温度差により吸放湿材の吸放湿性能に影響し、室内の暖房によって発生した居室内の湿気をより効果的に吸収することができる。さらに熱容量の大きい蓄熱材の温度が変わるまでに時間がかかることを利用して室内の湿度の急激な変化を緩和させる効果をより得ることができる。
【００４２】
また、実施例として一方が居室、一方が非居室の場合について示したが、両方が居室であってもよい。
【００４３】
さらに、上記の実施例において仕上げ材としての吸放湿材を間仕切り壁の一方の側に設けた場合について示したが、両方の側に仕上げ材としての吸放湿材を設けてもよい。
【００４４】
本発明の目的は吸放湿材の裏面に熱容量の大きい蓄熱材を設けることにより、室内の温度が変化した場合に吸放湿材の表面と裏面との間に温度差を生じさせることにより吸放湿材の効果を最大限活用することを目的とするものであるが、さらに、熱容量の大きい蓄熱材の温度が変わるまでに時間がかかることを利用して室内の湿度の急激な変化を緩和させる効果を得ることができる。
【図面の簡単な説明】
【００４５】
【図１】図（イ）は実施形態の壁構造を示す断面図、図（ロ）は実施形態との比較のための一般の壁構造を示す断面図である。
【図２】図（イ）は本発明の第２実施形態の間仕切り壁の壁構造を示す断面図、図（ロ）は実施形態との比較のための一般の間仕切り壁の壁構造を示す断面図である。
【図３】本発明の他の実施例を示す壁構造の断面図である。
【図４】本発明の他の実施例を示す壁構造の断面図である。
【図５】本発明の他の実施例を示す壁構造の断面図である。
【符号の説明】
【００４６】
１・・・壁構造
２・・・吸放湿材（仕上げ材）
３・・・蓄熱材
４・・・桟木
５・・・石膏ボード（仕上げ材）
６・・・断熱材
【図１】
2009197557.tif 000003
【図２】
2009197557.tif 000004
【図３】
2009197557.tif 000005
【図４】
2009197557.tif 000006
【図５】
2009197557.tif 000007